(57)【要約】【課題】モニター出力端子を活用する場面を広げることが可能な画像表示装置を提供する。【解決手段】画像表示装置（プロジェクター１）は、複数の画像信号が入力される画像信号入力部（入力端子群３０）と、画像信号入力部に入力された複数の画像信号のいずれかを第１の画像信号として選択する第１画像信号選択部（入力信号選択部３１）と、第１画像信号選択部が選択した第１の画像信号に基づく画像を表示する表示部（画像投写部１０）と、画像信号入力部に入力された複数の画像信号のいずれかを第２の画像信号として選択する第２画像信号選択部（モニター出力信号選択部３３）と、第２画像信号選択部が選択した第２の画像信号を出力する画像信号出力部（モニター出力端子３５）と、を備える。【選択図】図３
2011145370.tif 000002
【特許請求の範囲】
【請求項１】
複数の画像信号が入力される画像信号入力部と、
前記画像信号入力部に入力された前記複数の画像信号のいずれかを第１の画像信号として選択する第１画像信号選択部と、
前記第１画像信号選択部が選択した前記第１の画像信号に基づく画像を表示する表示部と、
前記画像信号入力部に入力された前記複数の画像信号のいずれかを第２の画像信号として選択する第２画像信号選択部と、
前記第２画像信号選択部が選択した前記第２の画像信号を出力する画像信号出力部と、
を備えることを特徴とする画像表示装置。
【請求項２】
請求項１に記載の画像表示装置であって、
前記画像信号出力部に前記第２の画像信号を出力させるか否かを切り換える出力許可部をさらに有することを特徴とする画像表示装置。
【請求項３】
請求項１または２に記載の画像表示装置であって、
前記第１画像信号選択部を制御するための第１の画像制御情報を受け付け、当該第１の画像制御情報に基づいて、前記第１の画像信号を前記第１画像信号選択部に選択させる制御部をさらに有することを特徴とする画像表示装置。
【請求項４】
請求項３に記載の画像表示装置であって、
前記制御部は、前記第２画像信号選択部を制御するための第２の画像制御情報を受け付け、当該第２の画像制御情報に基づいて、前記第２の画像信号を前記第２画像信号選択部に選択させることを特徴とする画像表示装置。
【請求項５】
請求項２に記載の画像表示装置であって、
前記出力許可部を制御するための出力制御情報を受け付け、当該出力制御情報に基づいて、前記第２の画像信号を出力させるか否かを前記出力許可部に切り換えさせる制御部をさらに有することを特徴とする画像表示装置。
【請求項６】
複数の画像信号が入力される画像信号入力部と、
前記画像信号入力部に入力された前記複数の画像信号のいずれかを第１の画像信号として選択する第１画像信号選択部と、
光源と、
前記光源から射出された光を、前記第１の画像信号に応じて画像光に変調して投写する画像投写部と、
前記画像信号入力部に入力された前記複数の画像信号のいずれかを第２の画像信号として選択する第２画像信号選択部と、
前記第２画像信号選択部が選択した前記第２の画像信号を出力する画像信号出力部と、
を備えることを特徴とするプロジェクター。
【請求項７】
複数の画像信号が入力される画像信号入力部を備えた画像表示装置の制御方法であって、
前記画像信号入力部に入力された前記複数の画像信号のいずれかを第１の画像信号として選択する処理と、
前記第１の画像信号に基づく画像を表示する処理と、
前記画像信号入力部に入力された前記複数の画像信号のいずれかを第２の画像信号として選択する処理と、
前記第２の画像信号を出力する処理と、
を備えることを特徴とする画像表示装置の制御方法。
【請求項８】
請求項７に記載の画像表示装置の制御方法であって、
前記第２の画像信号を出力させるか否かを切り換える処理をさらに有することを特徴とする画像表示装置の制御方法。
【発明の詳細な説明】
【技術分野】
【０００１】
本発明は、画像表示装置、プロジェクターおよび画像表示装置の制御方法に関する。
【背景技術】
【０００２】
従来、複数の画像入力端子を備えた画像表示装置が知られている。このような画像表示装置では、複数の画像入力端子から入力された画像信号のいずれかを選択して、表示部に表示させる。また、画像表示装置には、モニター出力端子を備えたものがある（例えば、特許文献１）。このような画像表示装置によれば、モニター出力端子と他の画像表示装置とをケーブル等を介して接続することで、モニター出力端子から出力される画像信号に基づいた画像を、他の画像表示装置に表示させることができる。
【先行技術文献】
【特許文献】
【０００３】
【特許文献１】特開２００１−５１６６６号公報
【発明の概要】
【発明が解決しようとする課題】
【０００４】
しかしながら、従来の画像表示装置においては、モニター出力端子から出力される画像信号は、画像表示装置が表示部に表示させる画像信号と同一のものであった。このため、例えば、モニター出力端子から出力される画像信号を他の画像表示装置（プロジェクターやディスプレイ等）に入力しても、他の画像表示装置では同一の画像が表示されるので、モニター出力端子を活用する場面が少なかった。
【課題を解決するための手段】
【０００５】
本発明は、上述の課題の少なくとも一部を解決するためになされたものであり、以下の形態または適用例として実現することが可能である。
【０００６】
［適用例１］本適用例に係る画像表示装置は、複数の画像信号が入力される画像信号入力部と、前記画像信号入力部に入力された前記複数の画像信号のいずれかを第１の画像信号として選択する第１画像信号選択部と、前記第１画像信号選択部が選択した前記第１の画像信号に基づく画像を表示する表示部と、前記画像信号入力部に入力された前記複数の画像信号のいずれかを第２の画像信号として選択する第２画像信号選択部と、前記第２画像信号選択部が選択した前記第２の画像信号を出力する画像信号出力部と、を備えることを特徴とする。
【０００７】
このような画像表示装置によれば、第１画像信号選択部は、画像信号入力部に入力された画像信号のいずれかを第１の画像信号として選択し、表示部は、第１の画像信号に基づく画像を表示する。第２画像信号選択部は、画像信号入力部に入力された画像信号のいずれかを第２の画像信号として選択し、画像信号出力部は、第２の画像信号を出力する。つまり、第２画像信号選択部は、第１画像信号選択部とは独立して第２の画像信号を選択するため、画像信号出力部は、表示部が表示する第１の画像信号と異なる第２の画像信号を出力することが可能になる。これにより、ユーザーは、表示部が表示する画像を切り換えることなく、画像信号入力部に入力されている複数の画像信号を、画像信号出力部の出力を切り換えて確認することが可能になる。また、画像信号出力部から出力される第２の画像信号を他の画像表示装置に入力すると、表示部が表示する画像とは異なる第２の画像信号に基づく画像を他の画像表示装置に表示させることが可能になるため、画像信号出力部を活用する場面を広げることができる。
【０００８】
［適用例２］上記適用例に係る画像表示装置において、前記画像信号出力部に前記第２の画像信号を出力させるか否かを切り換える出力許可部をさらに有することを特徴とする。
【０００９】
このような画像表示装置によれば、出力許可部は、画像信号出力部に第２の画像信号を出力させるか否かを切り換える。これにより、第２の画像信号を出力させたり停止させたりすることができるため、画像信号出力部から出力される第２の画像信号を他の画像表示装置に入力している場合には、他の画像表示装置の表示を出力させたり停止させたりすることができる。また、第２の画像信号の出力を停止すれば、画像表示装置の消費電力を低減することができる。
【００１０】
［適用例３］上記適用例に係る画像表示装置において、前記第１画像信号選択部を制御するための第１の画像制御情報を受け付け、当該第１の画像制御情報に基づいて、前記第１の画像信号を前記第１画像信号選択部に選択させる制御部をさらに有することを特徴とする。
【００１１】
このような画像表示装置によれば、制御部は、第１の画像制御情報を受け付ける。そして、制御部は、第１の画像制御情報に基づいて、第１の画像信号を第１画像信号選択部に選択させる。これにより、ユーザーは、表示部に表示させる第１の画像信号を選択することが可能になる。
【００１２】
［適用例４］上記適用例に係る画像表示装置において、前記制御部は、前記第２画像信号選択部を制御するための第２の画像制御情報を受け付け、当該第２の画像制御情報に基づいて、前記第２の画像信号を前記第２画像信号選択部に選択させることを特徴とする。
【００１３】
このような画像表示装置によれば、制御部は、第２の画像制御情報を受け付ける。そして、制御部は、第２の画像制御情報に基づいて、第２の画像信号を第２画像信号選択部に選択させる。これにより、ユーザーは、画像信号出力部に出力させる第２の画像信号を選択することが可能になる。
【００１４】
［適用例５］上記適用例に係る画像表示装置において、前記出力許可部を制御するための出力制御情報を受け付け、当該出力制御情報に基づいて、前記第２の画像信号を出力させるか否かを前記出力許可部に切り換えさせる制御部をさらに有することを特徴とする。
【００１５】
このような画像表示装置によれば、制御部は、出力制御情報を受け付ける。さらに、制御部は、出力制御情報に基づいて、第２の画像信号を出力するか否かを出力許可部に切り換えさせる。これにより、ユーザーは、第２の画像信号を出力させるか否かを切り換えることが可能になる。
【００１６】
［適用例６］本適用例に係るプロジェクターは、複数の画像信号が入力される画像信号入力部と、前記画像信号入力部に入力された前記複数の画像信号のいずれかを第１の画像信号として選択する第１画像信号選択部と、光源と、前記光源から射出された光を、前記第１の画像信号に応じて画像光に変調して投写する画像投写部と、前記画像信号入力部に入力された前記複数の画像信号のいずれかを第２の画像信号として選択する第２画像信号選択部と、前記第２画像信号選択部が選択した前記第２の画像信号を出力する画像信号出力部と、を備えることを特徴とする。
【００１７】
このようなプロジェクターによれば、第２画像信号選択部は、第１画像信号選択部とは独立して第２の画像信号を選択するため、画像信号出力部は、画像投写部が投写する第１の画像信号と異なる第２の画像信号を出力することが可能になる。これにより、ユーザーは、画像投写部が投写する画像を切り換えることなく、画像信号入力部に入力されている複数の画像信号を、画像信号出力部の出力を切り換えて確認することが可能になる。また、画像信号出力部から出力される第２の画像信号を他の画像表示装置（プロジェクターやディスプレイ等）に入力すると、画像投写部が投写する画像とは異なる第２の画像信号に基づく画像を他の画像表示装置に表示させることが可能になるため、画像信号出力部を活用する場面を広げることができる。
【００１８】
［適用例７］本適用例に係る画像表示装置の制御方法は、複数の画像信号が入力される画像信号入力部を備えた画像表示装置の制御方法であって、前記画像信号入力部に入力された前記複数の画像信号のいずれかを第１の画像信号として選択する処理と、前記第１の画像信号に基づく画像を表示する処理と、前記画像信号入力部に入力された前記複数の画像信号のいずれかを第２の画像信号として選択する処理と、前記第２の画像信号を出力する処理と、を備えることを特徴とする。
【００１９】
このような画像表示装置の制御方法によれば、ユーザーは、表示する画像を切り換えることなく、画像信号入力部に入力されている複数の画像信号を、第２の画像信号の出力を切り換えることで確認することが可能になる。また、第２の画像信号を他の画像表示装置に入力すると、表示する画像とは異なる第２の画像信号に基づく画像を他の画像表示装置に表示させることが可能になる。
【００２０】
［適用例８］上記適用例に係る画像表示装置の制御方法において、前記第２の画像信号を出力させるか否かを切り換える処理をさらに有することを特徴とする。
【００２１】
このような画像表示装置の制御方法によれば、第２の画像信号を出力させたり停止させたりすることができるため、第２の画像信号を他の画像表示装置に入力している場合には、他の画像表示装置の表示を出力させたり停止させたりすることができる。また、第２の画像信号の出力を停止すれば、画像表示装置の消費電力を低減することができる。
【００２２】
なお、本発明は、上記した画像表示装置の制御方法の態様や、そのような制御方法を画像表示装置に実行させるためのコンピュータープログラムとしての態様に限ることなく、そのようなコンピュータープログラムを記録した記録媒体としての態様など、種々の態様で実現することも可能である。
【図面の簡単な説明】
【００２３】
【図１】実施形態に係るプロジェクターを前面から見た斜視図。
【図２】プロジェクターを背面から見た斜視図。
【図３】プロジェクターの概略構成を示すブロック図。
【図４】プロジェクターの画像投写状態における画像信号制御処理のフローチャート。
【発明を実施するための形態】
【００２４】
以下、画像表示装置の実施形態として、入力される画像信号に基づく画像を投写して、外部のスクリーン等に表示するプロジェクターについて説明する。
【００２５】
（実施形態）
図１は、本実施形態に係るプロジェクターを前面から見た斜視図である。
図１に示すように、プロジェクター１は、その本体が筐体１００で覆われた構成となっており、筐体１００の前面１００ａには投写レンズ１３を備えている。また、筐体１００の上面には、操作受付部２１を備えている。
【００２６】
図２は、プロジェクター１を背面から見た斜視図である。
図２に示すように、プロジェクター１は、筐体１００の背面１００ｂに、電源端子４０、画像信号入力部としての入力端子群３０、モニター出力端子３５、通信端子群２３等を備えている。
【００２７】
電源端子４０は、電源ケーブル（図示せず）を接続することで、プロジェクター１に外部からＡＣ１００Ｖ等の商用電源を供給する。
【００２８】
入力端子群３０は、パーソナルコンピューターやビデオ再生装置等、図示しない外部の画像供給装置から、各種形式の画像信号を入力可能な複数の画像入力端子を備えている。画像入力端子としては、例えば、ミニＤ−Ｓｕｂ１５ｐｉｎ端子、セパレート映像端子、およびコンポジット映像端子等とする。なお、画像入力端子はこれらに限定されず、メモリーカード、ＵＳＢストレージ、デジタルカメラ等を接続可能な端子としてもよい。
【００２９】
モニター出力端子３５は、他のプロジェクターやディスプレイ等、図示しない外部の画像表示装置に、画像信号を出力する画像出力端子である。画像出力端子としては、例えば、ミニＤ−Ｓｕｂ１５ｐｉｎ端子等とする。なお、画像出力端子はこれに限定するものではない。
【００３０】
通信端子群２３には、外部の電子機器とケーブルを介して接続される複数の通信端子が設置されている。通信端子としては、例えば、ＬＡＮ（Local Area Network）端子、ＵＳＢ（Universal Serial Bus）端子、ＲＳ−２３２Ｃ端子等とする。なお、通信端子はこれらに限定するものではない。
【００３１】
次に、プロジェクター１の内部構成について説明する。
図３は、本実施形態に係るプロジェクター１の概略構成を示すブロック図である。図３を使用して、プロジェクター１の内部構成について説明する。
【００３２】
プロジェクター１は、表示部としての画像投写部１０、制御部２０、操作受付部２１、通信部２２、通信端子群２３、光源制御部２４、入力端子群３０、第１画像信号選択部としての入力信号選択部３１、画像処理部３２、第２画像信号選択部としてのモニター出力信号選択部３３、出力許可部としてのモニター出力許可部３４、画像信号出力部としてのモニター出力端子３５等を備えている。
【００３３】
画像投写部１０は、超高圧水銀ランプやメタルハライドランプ等の放電型光源や、ＬＥＤ（Light Emitting Diode）等の固体光源からなる光源１１と、光変調装置としての液晶ライトバルブ１２と、投写レンズ１３と、液晶ライトバルブ１２を駆動するライトバルブ駆動部１４とを備えている。
【００３４】
液晶ライトバルブ１２は、一対の透明基板間に液晶が封入された透過型液晶パネル等によって構成される。ライトバルブ駆動部１４の駆動によって、液晶ライトバルブ１２の各画素に画像信号に応じた駆動電圧が印加されると、各画素は、画像信号に応じた光透過率で光源光を透過させる。
【００３５】
光源１１から射出された光は、この液晶ライトバルブ１２を透過することによって変調され、変調後の光が投写レンズ１３によって投写されることにより、スクリーンＳＣ等に画像信号に応じた画像が表示される。
【００３６】
制御部２０は、ＣＰＵ（Central Processing Unit）、各種データの一時記憶等に用いられるＲＡＭ（Random Access Memory）、および、マスクＲＯＭ（Read Only Memory）やフラッシュメモリー、ＦｅＲＡＭ（Ferroelectric RAM：強誘電体メモリー）等の不揮発性のメモリー等（いずれも図示せず）を備え、コンピューターとして機能するものである。制御部２０は、ＣＰＵが不揮発性のメモリーに記憶されている制御プログラムに従って動作することにより、プロジェクター１の動作を統括制御する。
【００３７】
操作受付部２１は、プロジェクター１に対して各種指示を行うための複数のキー等を備えている。操作受付部２１が備えるキーとしては、電源のオン／オフを行うための「電源キー」や、入力された画像信号を切り換えるための「入力切換キー」、モニター出力する画像信号を切り換えるための「モニター出力切換キー」、モニター出力の許可／停止を切り換える「モニター出力許可キー」、各種設定を行うためのメニュー画面の表示／非表示を切り換える「メニューキー」、メニュー画面におけるカーソルの移動等に用いられる「カーソルキー」、各種設定を決定するための「決定キー」等がある。ユーザーが操作受付部２１を操作すると、操作受付部２１は、ユーザーの操作内容に応じた制御情報を制御部２０に出力する。なお、操作受付部２１は、リモコン信号受信部（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信部がこれを受信して制御情報として制御部２０に伝達する。
【００３８】
通信部２２は、所定の通信手段を用い、通信端子群２３に備わる通信端子（図２参照）を介して、外部のコンピューター等の電子機器と通信を行う。具体的には、入力信号選択部３１やモニター出力信号選択部３３、モニター出力許可部３４等を制御するための制御情報を電子機器から受信したり、その制御情報に対する応答を送信したりする。通信部２２は、制御部２０の指示に基づいて通信を行い、受信した制御情報を制御部２０に伝達する。通信部２２が用いる所定の通信手段は、ＩＰ（Internet Protocol）ネットワーク通信を用いた通信手段としてもよいし、ＲＳ−２３２ＣやＵＳＢによる通信を用いた通信手段としてもよい。また、これらに限定されず、その他の通信手段を用いてもよい。
【００３９】
本実施形態では、受信する制御情報としては、第１の画像制御情報としての入力切換の制御情報、第２の画像制御情報としてのモニター出力切換の制御情報、出力制御情報としてのモニター出力許可の制御情報およびモニター出力停止の制御情報、プロジェクター１の電源オフの制御情報等とする。
【００４０】
ここで、入力切換の制御情報とは、入力信号選択部３１に複数の画像信号から１つを選択させるための制御情報を示す。モニター出力切換の制御情報とは、モニター出力信号選択部３３に複数の画像信号から１つを選択させるための制御情報を示す。モニター出力許可の制御情報とは、モニター出力許可部３４にモニター出力を許可させるための制御情報を示す。モニター出力停止の制御情報とは、モニター出力許可部３４にモニター出力を停止させるための制御情報を示す。
【００４１】
光源制御部２４は、制御部２０の指示に基づいて、光源１１に対する電力の供給と停止とを制御し、光源１１の点灯および消灯を切り換える。
【００４２】
入力端子群３０は、画像信号を入力可能な複数の画像入力端子３０ａを備えている。各画像入力端子３０ａに入力された画像信号は、入力信号選択部３１およびモニター出力信号選択部３３に供給される。
【００４３】
入力信号選択部３１は、セレクター回路を有して構成されており、複数の画像入力端子３０ａから入力される複数の画像信号のうち、制御部２０の指示に基づく１つの画像信号を選択する。そして、入力信号選択部３１は、この画像信号を画像処理部３２に出力する。ユーザーが、操作受付部２１に備わる入力切換キーを操作して所望の画像信号を指定するか、通信部２２が入力切換の制御情報を受信すると、制御部２０は、指定された画像信号が画像処理部３２に出力されるよう、入力信号選択部３１に指示をする。入力信号選択部３１が選択した画像信号（以降、「入力選択画像信号」と呼ぶ）が、第１の画像信号に相当する。
【００４４】
画像処理部３２は、入力信号選択部３１から入力される入力選択画像信号を、液晶ライトバルブ１２の各画素の階調を表す画像データに変換する。ここで、変換された画像データは、液晶ライトバルブ１２のすべての画素に対応する複数の画素値によって構成されている。画素値とは、対応する画素の光透過率を定めるものであり、この画素値によって、各画素から射出する光の強弱（階調）が規定される。また、画像処理部３２は、制御部２０の指示に基づき、変換した画像データに対して、明るさ、コントラスト、シャープネス、色合い等を調整するための画質調整処理等を行う。さらに、画像処理部３２では、必要に応じてＯＳＤ（オンスクリーンディスプレイ）画像を画像データに重畳する処理を行う。画像処理部３２は、このような調整および処理を行った画像データをライトバルブ駆動部１４に出力する。
【００４５】
ライトバルブ駆動部１４が、画像処理部３２から入力される画像データに従って液晶ライトバルブ１２を駆動すると、液晶ライトバルブ１２は、光源１１から入射する光を、画像データに応じて画像光に変調し、この画像光が投写レンズ１３から投写される。
【００４６】
モニター出力信号選択部３３は、セレクター回路およびアンプ回路を有して構成されており、複数の画像入力端子３０ａから入力される複数の画像信号のうち、制御部２０の指示に基づく１つの画像信号を選択する。そして、モニター出力信号選択部３３は、この画像信号を増幅してモニター出力許可部３４に出力する。ユーザーが、操作受付部２１に備わるモニター出力切換キーを操作して所望の画像信号を指定するか、通信部２２がモニター出力切換の制御情報を受信すると、制御部２０は、指定された画像信号がモニター出力許可部３４に出力されるよう、モニター出力信号選択部３３に指示をする。モニター出力信号選択部３３が選択した画像信号（以降、「モニター出力画像信号」と呼ぶ）が、第２の画像信号に相当する。
【００４７】
モニター出力許可部３４は、スイッチング回路を有して構成されており、モニター出力信号選択部３３から入力されるモニター出力画像信号を、モニター出力端子３５に出力させるか否かを、制御部２０の指示に従って切り換える。ユーザーが、操作受付部２１に備わるモニター出力許可キーを操作してモニター出力を許可するか、通信部２２がモニター出力許可の制御情報を受信すると、制御部２０は、モニター出力画像信号がモニター出力端子３５に出力されるよう、モニター出力許可部３４に指示を行い、モニター出力許可部３４は、モニター出力端子３５にモニター出力画像信号を出力する。
【００４８】
また、ユーザーが、操作受付部２１に備わるモニター出力許可キーを操作してモニター出力を停止するか、通信部２２がモニター出力停止の制御情報を受信すると、制御部２０は、モニター出力画像信号をモニター出力端子３５に出力しないよう、モニター出力許可部３４に指示を行い、モニター出力許可部３４は、モニター出力端子３５に対するモニター出力画像信号の出力を停止する。
【００４９】
モニター出力許可部３４が、モニター出力画像信号の出力を許可すると、モニター出力端子３５からモニター出力画像信号が出力される。また、モニター出力許可部３４が、モニター出力画像信号の出力を停止すると、モニター出力端子３５からモニター出力画像信号は出力されなくなる。
【００５０】
次に、プロジェクター１の電源が投入されて画像を投写している画像投写状態における入力選択画像信号の制御、およびモニター出力画像信号の制御の処理について説明する。
図４は、プロジェクター１の画像投写状態における画像信号制御処理のフローチャートである。なお、以下に記す「制御情報」は、操作受付部２１に備わる各種キーの操作によって入力（受信）されてもよいし、通信部２２によって受信されてもよい。
【００５１】
画像投写状態において、制御部２０は、操作受付部２１または通信部２２から入力切換の制御情報を受信したか否かを判断する（ステップＳ１０１）。入力切換の制御情報を受信している場合（ステップＳ１０１：ＹＥＳ）、制御部２０は、その入力切換の制御情報に従って、入力信号選択部３１に入力選択画像信号を切り換えさせる（ステップＳ１０２）。そして、ステップＳ１０１に移行する。
【００５２】
入力切換の制御情報を受信していない場合（ステップＳ１０１：ＮＯ）、制御部２０は、操作受付部２１または通信部２２からモニター出力切換の制御情報を受信したか否かを判断する（ステップＳ１０３）。モニター出力切換の制御情報を受信している場合（ステップＳ１０３：ＹＥＳ）、制御部２０は、そのモニター出力切換の制御情報に従って、モニター出力信号選択部３３にモニター出力画像信号を切り換えさせる（ステップＳ１０４）。そして、ステップＳ１０１に移行する。
【００５３】
モニター出力切換の制御情報を受信していない場合（ステップＳ１０３：ＮＯ）、制御部２０は、操作受付部２１または通信部２２からモニター出力許可の制御情報を受信したか否かを判断する（ステップＳ１０５）。モニター出力許可の制御情報を受信している場合（ステップＳ１０５：ＹＥＳ）、制御部２０は、モニター出力許可部３４にモニター出力を開始（許可）させる（ステップＳ１０６）。そして、ステップＳ１０１に移行する。
【００５４】
モニター出力許可の制御情報を受信していない場合（ステップＳ１０５：ＮＯ）、制御部２０は、操作受付部２１または通信部２２からモニター出力停止の制御情報を受信したか否かを判断する（ステップＳ１０７）。モニター出力停止の制御情報を受信している場合（ステップＳ１０７：ＹＥＳ）、制御部２０は、モニター出力許可部３４にモニター出力を停止させる（ステップＳ１０８）。そして、ステップＳ１０１に移行する。
【００５５】
モニター出力停止の制御情報を受信していない場合（ステップＳ１０７：ＮＯ）、制御部２０は、操作受付部２１または通信部２２から電源オフの制御情報を受信したか否かを判断する（ステップＳ１０９）。電源オフの制御情報を受信していない場合（ステップＳ１０９：ＮＯ）、ステップＳ１０１に移行する。
【００５６】
電源オフの制御情報を受信している場合（ステップＳ１０９：ＹＥＳ）、制御部２０は、電源オフ処理を行う（ステップＳ１１０）。本実施形態では、電源オフ処理は、プロジェクター１の電源オフに伴って行われる処理を示し、画像投写の停止や光源１１の消灯等、電源オフに対応したソフトウェアやハードウェアの処理等を含むものとする。そして、プロジェクター１の画像投写状態における画像信号制御処理を終了する。
【００５７】
上述したように、プロジェクター１は、画像投写状態において、操作受付部２１または通信部２２から各種の制御情報を受信して、受信した制御情報に基づいて画像信号の制御処理を行う。
【００５８】
上述した実施形態によれば、以下の効果が得られる。
（１）プロジェクター１は、入力選択画像信号の切り換えとモニター出力画像信号の切り換えとをそれぞれ独立して行うことができる。これにより、プロジェクター１は、画像投写部１０が投写する入力選択画像信号とは異なるモニター出力画像信号を、モニター出力端子３５から出力することが可能になる。よって、ユーザーは、投写画像を切り換えることなく、入力端子群３０の複数の画像入力端子３０ａに入力されている複数の画像信号を、モニター出力を切り換えて確認することが可能になる。
【００５９】
（２）プロジェクター１は、モニター出力端子３５から出力されるモニター出力画像信号を他のプロジェクターに入力することによって、画像投写部１０が投写する画像とは異なるモニター出力画像信号に基づく画像を、他のプロジェクターに投写させることができる。これにより、２つのプロジェクターで、それぞれ異なる画像を投写することが可能になる。例えば、プロジェクター１にはビデオ再生装置から出力される画像を投写させ、他のプロジェクターにはパーソナルコンピューターから入力される画像を投写させることが可能になるため、効果的なプレゼンテーションが可能なＡＶシステムを提供することができる。また、モニター出力端子３５から出力されるモニター出力画像信号をディスプレイ等に入力すれば、プロジェクター１で投写している画像とは別の入力画像信号をディスプレイによって視認することが可能になる。このようなＡＶシステムによれば、ユーザーは、プロジェクター１に表示させる画像を、予めディスプレイによって確認することが可能になり、プレゼンテーションの進行を円滑に行うことができる。
【００６０】
（３）プロジェクター１は、モニター出力端子３５からモニター出力画像信号を出力するか停止するかを切り換えることができる。これにより、モニター出力端子３５から出力するモニター出力画像信号が他のプロジェクターに入力されている場合には、ユーザーは、他のプロジェクターの投写画像の出力と停止とを、任意に切り換えることが可能になる。また、モニター出力画像信号の出力を停止すれば、プロジェクター１の消費電力を低減することができる。
【００６１】
（４）プロジェクター１は、入力切換の制御情報に基づいて、入力選択画像信号を選択する。これにより、ユーザーは、プロジェクター１に投写させる入力選択画像信号を選択することできる。また、ユーザーは、入力切換の制御情報を、操作受付部２１に備わる入力切換キーによって入力したり、通信端子群２３に接続された外部の電子機器から入力したりすることができるため、利便性が高い。
【００６２】
（５）プロジェクター１は、モニター出力切換の制御情報に基づいて、モニター出力画像信号を選択する。これにより、ユーザーは、プロジェクター１からモニター出力するモニター出力画像信号を選択することができる。また、ユーザーは、モニター出力切換の制御情報を、操作受付部２１に備わるモニター出力切換キーによって入力したり、通信端子群２３に接続された外部の電子機器から入力したりすることができるため、利便性が高い。
【００６３】
（６）プロジェクター１は、モニター出力許可の制御情報に基づいて、モニター出力画像信号を出力するか否かを切り換える。これにより、ユーザーは、モニター出力画像信号をプロジェクター１から出力させるか停止させるかを切り換えることができる。また、ユーザーは、モニター出力許可の制御情報およびモニター出力停止の制御情報を、操作受付部２１に備わるモニター出力許可キーによって入力したり、通信端子群２３に接続された外部の電子機器から入力したりすることができるため、利便性が高い。
【００６４】
（７）プロジェクター１は、モニター出力端子３５に他のプロジェクター等の画像表示装置を接続して、プロジェクター１側から、モニター出力画像信号を切り換えたり、モニター出力画像信号の出力／停止の制御を行ったりすることができる。これにより、ＡＶセレクター等を用いることなく、プロジェクター１を含めた複数の画像表示装置を備えるＡＶシステムを構築することができる。このようなＡＶシステムではＡＶセレクター等を用いないため、装置間の配線を簡素化することができる。また、このようなＡＶシステムではＡＶセレクター等を用いないため、ＡＶシステムを低コストで構築することができる。
【００６５】
なお、上述した実施形態に限定されず、種々の変更や改良等を加えて実施することが可能である。変形例を以下に述べる。
【００６６】
（変形例１）上記実施形態では、プロジェクター１のモニター出力信号選択部３３とモニター出力許可部３４とは、別の構成としたが、モニター出力信号選択部３３とモニター出力許可部３４とを一体の構成としてもよい。こうすれば、プロジェクター１の回路構成を簡易化することができる。
【００６７】
（変形例２）上記実施形態では、プロジェクター１の入力信号選択部３１は、１つの入力選択画像信号を選択するものとしたが、複数選択できるものとしてもよい。複数選択した場合には、画像投写部１０が投写する画像は、複数の入力選択画像信号に基づいて合成された画像とすることができる。例えば、ピクチャーインピクチャーのような態様で画像を投写することが可能である。
【００６８】
（変形例３）上記実施形態では、プロジェクター１が備えるモニター出力端子３５は１つとしたが、モニター出力端子を複数備えるものとしてもよい。この場合、モニター出力信号選択部３３は、複数のモニター出力画像信号を選択できるものとし、複数選択した場合には、複数のモニター出力画像信号をそれぞれ複数のモニター出力端子に出力する。こうすれば、複数のモニター出力端子に複数のプロジェクターやディスプレイ等を接続して視聴することが可能になるため、有益である。
【００６９】
（変形例４）上記実施形態では、プロジェクター１は、通信端子群２３の通信端子を介して外部の電子機器とケーブルで接続するものとしたが、無線通信で接続してもよい。この場合は、プロジェクター１は、無線通信用電波の送受信を行うアンテナ、アンテナを介して送受信される信号の変調／復調処理を行う無線部、ベースバンド信号処理を行うベースバンド信号処理部（いずれも図示せず）等を有するものとする。
【００７０】
（変形例５）上記実施形態の図４のフローチャート（プロジェクター１の画像投写状態における画像信号制御処理のフローチャート）で示した、各種の制御情報を受信したか否かの判断を行う順番は、図４のフローチャートに示した順番に限定するものではない。各種の制御情報を受信したか否かの判断を行う順番は、どのような順番としてもよい。
【００７１】
（変形例６）上記実施形態では、プロジェクター１を例にして説明しているが、モニター出力端子を備えた画像表示装置であれば適用することが可能である。例えば、透過型のスクリーンを一体的に備えたリアプロジェクター、プラズマディスプレイ、ＳＥＤ（Surface-Conduction Electron-Emitter Display）、有機ＥＬ（Electro Luminescence）ディスプレイ、ＣＲＴ（Cathode Ray Tube）ディスプレイ等に適用することも可能である。
【００７２】
（変形例７）上記実施形態では、光変調装置として、透過型の液晶ライトバルブ１２を用いているが、反射型の液晶ライトバルブ等、反射型の光変調装置を用いることも可能である。また、入射した光の射出方向を、画素としてのマイクロミラー毎に制御することにより、光源から射出された光を変調する微小ミラーアレイデバイス等を用いることもできる。
【符号の説明】
【００７３】
１…プロジェクター、１０…画像投写部、１１…光源、１２…液晶ライトバルブ、１３…投写レンズ、１４…ライトバルブ駆動部、２０…制御部、２１…操作受付部、２２…通信部、２３…通信端子群、２４…光源制御部、３０…入力端子群、３０ａ…画像入力端子、３１…入力信号選択部、３２…画像処理部、３３…モニター出力信号選択部、３４…モニター出力許可部、３５…モニター出力端子、４０…電源端子、１００…筐体。
【図１】
2011145370.tif 000003
【図２】
2011145370.tif 000004
【図３】
2011145370.tif 000005
【図４】
2011145370.tif 000006